(57)【要約】【課題】巻束の片上がり及び昇降コードの巻束への巻き込みを防止し得るロールアップブラインドを提供する。【解決手段】フレーム１１に対し回転可能に支持された複数の巻取りドラム１６ａ〜１６ｄに複数本の昇降コード１５ａ〜１５ｄの一端を巻取り、各昇降コード１５ａ〜１５ｄの他端をフレーム１１に支持して無端状に垂下し、昇降コード１５ａ〜１５ｄの無端縁にスクリーン下端部の巻束１４を支持し、巻取りドラム１６ａ〜１６ｄを回転駆動して各昇降コードを巻取りあるいは巻き戻すことにより、巻束１４でスクリーン１２を巻き取り、あるいは巻き戻してスクリーン１２を昇降するロールアップブラインドにおいて、二本ずつの各昇降コードの他端を無端状として、フレーム１１に対し移動可能に支持した。【選択図】図１
0003123219.tif 000002
【実用新案登録請求の範囲】
【請求項１】
フレームからスクリーンを吊下支持し、前記フレームに対し回転可能に支持された複数の巻取りドラムに複数本の昇降コードの一端を巻取り、各昇降コードの他端を前記フレームに支持して無端状に垂下し、前記昇降コードの無端縁に前記スクリーン下端部の巻束を支持し、前記巻取りドラムを回転駆動して前記各昇降コードを巻取りあるいは巻き戻すことにより、前記巻束でスクリーンを巻き取り、あるいは巻き戻してスクリーンを昇降するロールアップブラインドにおいて、
二本ずつの前記各昇降コードの他端を無端状として、フレームに対し移動可能に支持したことを特徴とするロールアップブラインドのスクリーン昇降装置。
【請求項２】
前記巻取りドラムの下方には、該巻取りドラムに巻き取られる昇降コードの巻取り位置の偏りを防止するガイドリングを設けたことを特徴とする請求項１記載のロールアップブラインドのスクリーン昇降装置。
【請求項３】
前記各昇降コードの他端はコードキャッチを介して連結し、該コードキャッチには連結される昇降コードを緊張可能とするコード長調整部を備えたことを特徴とする請求項１又は２記載のロールアップブラインドのスクリーン昇降装置。
【請求項４】
前記ガイドリングを前記フレームの前面から垂下される目隠しに取着し、前記ガイドリングには前記昇降コードを巻取りドラムに案内する円弧状の湾曲部を備えたことを特徴とする請求項２又は３記載のロールアップブラインドのスクリーン昇降装置。
【考案の詳細な説明】
【技術分野】
【０００１】
この考案は、スクリーンの巻束を昇降してスクリーンを昇降するロールアップブラインドに関するものである。
【背景技術】
【０００２】
図７は、ロールアップブラインドの基本的構成を示す。取付面に固定されるフレーム１からスクリーン２が垂下され、そのスクリーン２の下端にはウェイトバー３が取着される。
【０００３】
スクリーン２の下端部はウェイトバー３に巻きつけられて巻束４が形成され、その巻束４の下方に複数本の昇降コード５が巻回されている。昇降コード５の一端はスクリーン２の後方でフレーム１に固定され、他端はスクリーン２の前方を経て、フレーム１内の昇降コード巻取り装置に支持されている。
【０００４】
そして、昇降コード巻取り装置で昇降コード５を巻き取れば、巻束４がスクリーン２を巻き取りながら上昇し、昇降コード巻取り装置から昇降コードを巻戻せば、巻束４がスクリーン２を巻戻しながら下降する。
【０００５】
特許文献１には、たくし上げカーテンの昇降コード巻取り装置が開示されている。また、特許文献２にはブラインドの複数本の昇降コードのうち、隣り合う昇降コードの下端部をボトムレール内で連結する構成が開示されている。
【特許文献１】実公平５−２７０９９号公報
【特許文献２】実公昭１４−１４２５号公報
【考案の開示】
【考案が解決しようとする課題】
【０００６】
図７に示すロールアップブラインドでは、同図に点線で示すように、昇降コード５のいずれかが巻束４の長手方向にずれて、昇降コード巻取り装置に対し斜め方向となる場合がある。
【０００７】
このような場合には、図８に示すように、フレーム１内の巻取りドラム６から昇降コード５が斜めに垂下される状態となり、この状態で昇降コード５が巻取りドラム６に巻き取られると、図１０に示すように、昇降コード５が巻取りドラム６の一端に偏って巻き取られ、当該巻取りドラム６の巻径が増大する。
【０００８】
すると、当該昇降コード５の巻取り長が他の昇降コード５の巻取り長より長くなるため、図９に示すように、巻束４に片上がりが発生したり、他の昇降コード５に弛み７が発生することがある。また、その弛み７がスクリーン２とともに巻束４に巻き込まれて、巻取りドラム６への昇降コード５の巻取り動作に支障を来たすこともある。
【０００９】
特許文献１，２には、ロールアップブラインドにおける巻束の片上がり及び昇降コードの巻束への巻き込みを防止する構成は開示されていない。
この考案の目的は、巻束の片上がり及び昇降コードの巻束への巻き込みを防止し得るロールアップブラインドを提供することにある。
【課題を解決するための手段】
【００１０】
請求項１では、フレームからスクリーンを吊下支持し、前記フレームに対し回転可能に支持された複数の巻取りドラムに複数本の昇降コードの一端を巻取り、各昇降コードの他端を前記フレームに支持して無端状に垂下し、前記昇降コードの無端縁に前記スクリーン下端部の巻束を支持し、前記巻取りドラムを回転駆動して前記各昇降コードを巻取りあるいは巻き戻すことにより、前記巻束でスクリーンを巻き取り、あるいは巻き戻してスクリーンを昇降するロールアップブラインドにおいて、二本ずつの前記各昇降コードの他端を無端状として、フレームに対し移動可能に支持した。
【００１１】
請求項２では、前記巻取りドラムの下方には、該巻取りドラムに巻き取られる昇降コードの巻取り位置の偏りを防止するガイドリングを設けた。
請求項３では、前記各昇降コードの他端はコードキャッチを介して連結し、該コードキャッチには連結される昇降コードを緊張可能とするコード長調整部を備えた。
【００１２】
請求項４では、前記ガイドリングを前記フレームの前面から垂下される目隠しに取着し、前記ガイドリングには前記昇降コードを巻取りドラムに案内する円弧状の湾曲部を備えたことを特徴とする請求項２又は３記載のロールアップブラインドのスクリーン昇降装置。
【考案の効果】
【００１３】
本考案によれば、巻束の片上がり及び昇降コードの巻束への巻き込みを防止し得るロールアップブラインドを提供することができる。
【考案を実施するための最良の形態】
【００１４】
以下、この考案を具体化した一実施の形態を図面に従って説明する。図１及び図２に示すロールアップブラインドは、フレーム１１の後面からすだれ状のスクリーン１２が吊下支持され、そのスクリーン１２の下端にウェイトバー１３が取着されている。そして、ウェイトバー１３にスクリーン１２が巻きつけられて、巻束１４が形成される。
【００１５】
前記巻束１４の下方には４本の昇降コード１５ａ〜１５ｄが巻回され、その昇降コード１５ａ〜１５ｄの一端はスクリーン１２の前方を上方へ案内され、フレーム１１内に回転可能に支持される巻取りドラム１６ａ〜１６ｄに巻かれている。
【００１６】
前記昇降コード１５ａ〜１５ｄの他端は、スクリーン１２の後方を上方へ案内され、同スクリーン１２の上端部に取着されたコードガイド１７に挿通される。そして、隣り合う昇降コード１５ａ，１５ｂの端部がコードキャッチ１８を介して連結され、同じく隣り合う昇降コード１５ｃ，１５ｄの端部が同様なコードキャッチを介して連結されている。
【００１７】
前記コードキャッチ１８は、図５に示すように、それぞれ一方の昇降コード１５ｂ，１５ｄを巻き付けて、連結する昇降コードを緊張可能とするコード長調整部１９が形成されている。
【００１８】
前記巻取りドラム１６ａ〜１６ｄには駆動軸２０が相対回転不能に挿通され、前記フレーム１１の一端において、その駆動軸２０の端部にはプーリー２１が取着されている。前記プーリー２１にはボールチェーン２２が掛装され、そのボールチェーン２２の操作によりプーリー２１を回転させると、前記駆動軸２０が回転される。
【００１９】
従って、ボールチェーン２２の操作により、駆動軸２０を回転させて、巻取りドラム１６ａ〜１６ｄを昇降コード１５ａ〜１５ｄの巻取り方向に回転させると、スクリーン１２前方の昇降コード１５ａ〜１５ｄが引き上げられ、その引き上げ動作により前記巻束１４がスクリーン１２を巻き取りながら上昇するようになっている。
【００２０】
前記フレーム１１内において、駆動軸２０は公知のクラッチ装置２３及びダンパー装置２４に挿通される。クラッチ装置２３は、その作動時に巻束１４の自重降下を防止するものであり、昇降コード１５ａ〜１５ｄの巻取り操作後にボールチェーン２２を手放したとき作動して、駆動軸２０の昇降コード巻き戻し方向の回転を阻止する。
【００２１】
また、クラッチ装置２３が作動している状態から、駆動軸２０を昇降コード巻取り方向に僅かに回転させれば、クラッチ装置２３の作動が解除されて、巻束１４の自重を利用して巻束１４を下降操作可能となっている。
【００２２】
前記ダンパー装置２４は、前記駆動軸２０の回転速度を所定速度以下に抑制するものであり、巻束１４の下降操作時に、その急激な落下を防止するようになっている。
前記フレーム１１の前側面には、前記スクリーン１２と同素材の二重の目隠し２５ａ，２５ｂが吊下支持されている。図２及び図３に示すように、前記各昇降コード１５ａ〜１５ｄの前方において、内側の目隠し２５ｂにはガイドリング２６がそれぞれ取着され、各昇降コード１５ａ〜１５ｄはそれぞれガイドリング２６を経て前記巻取りドラム１６ａ〜１６ｄに案内される。
【００２３】
前記ガイドリング２５は、図４に示すように、その後部すなわちスクリーン１２側が円弧状の湾曲部となるＤ字状に形成されている。従って、巻束１４に巻回される昇降コード１５ａ〜１５ｄが巻束１４の長手方向にずれて、昇降コード１５ａ〜１５ｄが巻取りドラム１６ａ〜１６ｄに対し斜め方向から案内される状態となると、ガイドリング２６は当該昇降コード１５ａ〜１５ｄに対し、ガイドリング２６の湾曲部の中央部に向かう引張り力を付与する。従って、巻取りドラム１６ａ〜１６ｄでの昇降コード１５ａ〜１５ｄの偏った巻取りが防止される。
【００２４】
次に、上記のような構成されたロールアップブラインドの動作を説明する。ボールチェーン２２を操作して、駆動軸２０をスクリーン引上げ方向に回転駆動すると、各昇降コード１５ａ〜１５ｄが巻取りドラム１６ａ〜１６ｄにそれぞれ巻き取られる。すると、巻束１４がスクリーン１２を巻き取りながら上昇して、スクリーン１２が上昇する。
【００２５】
このとき、図４に示すように、巻束１４に巻回される昇降コード１５ａ〜１５ｄがずれて、巻取りドラム１６ａ〜１６ｄから斜め方向に引っ張られる状態となると、ガイドリング２６により昇降コード１５ａ〜１５ｄが巻取りドラム１６ａ〜１６ｄの中央部に向かって案内される。
【００２６】
また、各昇降コード１５ａ〜１５ｄの巻取り長さに差が生じて、図６に示すように、例えば昇降コード１５ａに弛みが生じても、昇降コード１５ａはコードキャッチ１８で昇降コード１５ｂに連結されているので、コードキャッチ１８が移動してその弛みを吸収する。
【００２７】
一方、ボールチェーン２２の操作により、駆動軸２０をスクリーン下降方向に回転駆動すると、昇降コード１５ａ〜１５ｄが巻取りドラム１６ａ〜１６ｄから巻き戻される。すると、巻束１４がスクリーン１２を巻き戻しながら下降して、スクリーン１２が下降する。
【００２８】
上記のように構成されたロールアップブラインドでは、次に示す作用効果を得ることができる。
（１）各昇降コード１５ａ〜１５ｄをそれぞれガイドリング２６を経て各巻取りドラム１６ａ〜１６ｄに案内したので、巻取りドラム１６ａ〜１６ｄへの昇降コード１５ａ〜１５ｄの偏った巻取りを防止することができる。従って、各昇降コード１５ａ〜１５ｄの巻取り長さを均一化して、巻束１４に巻回される昇降コード１５ａ〜１５ｄでの弛みの発生を防止することができる。また、巻束１４の片上がりを防止することができる。
（２）巻束１４に巻回される昇降コード１５ａ〜１５ｄで弛みが発生する場合には、コードキャッチ１８の作用により、その弛みを吸収することができる。
（３）昇降コード１５ａ〜１５ｄの弛みの発生を防止することができるので、巻束１４への昇降コード１５ａ〜１５ｄの巻き込みを防止することができる。
（４）コードキャッチ１８のコード調整部１９により、コードキャッチ１８で接続される昇降コードを容易に緊張することができる。
【００２９】
上記実施の形態は、以下の態様で実施してもよい。
・隣り合う昇降コードは、コードキャッチ１８ａ，１８ｂを介することなく、直接に連結してもよい。
・昇降コードは、２本、６本、８本等の偶数本とし、隣り合う昇降コードを連結するようにすればよい。
・昇降コードは、隣り合う昇降コード以外の昇降コードと連結してもよい。
・隣り合う昇降コードを一本の昇降コードで構成して、前記実施の形態の他端に相当する部分を無端状としてもよい。
【図面の簡単な説明】
【００３０】
【図１】一実施の形態のロールアップブラインドを示す正面図である。
【図２】一実施の形態のロールアップブラインドを示す側面図である。
【図３】巻取りドラムを示す正面図である。
【図４】ガイドリングを示す下面図である。
【図５】コードキャッチを示す正面図である。
【図６】コードキャッチの動作を示す正面図である。
【図７】ロールアップブラインドの概要を示す斜視図である。
【図８】従来の巻取りドラムを示す正面図である。
【図９】従来のロールアップブラインドの動作を示す斜視図である。
【図１０】従来の巻取りドラムの動作を示す正面図である。
【符号の説明】
【００３１】
１１…フレーム、１２…スクリーン、１４…巻束、１５ａ〜１５ｄ…昇降コード、１６ａ〜１６ｄ…巻取りドラム、２６…ガイドリング。
【図１】
0003123219.tif 000003
【図２】
0003123219.tif 000004
【図３】
0003123219.tif 000005
【図４】
0003123219.tif 000006
【図５】
0003123219.tif 000007
【図６】
0003123219.tif 000008
【図７】
0003123219.tif 000009
【図８】
0003123219.tif 000010
【図９】
0003123219.tif 000011
【図１０】
0003123219.tif 000012